(57)【要約】【課題】携帯通信装置に記憶されているデータを安全に管理し、バックアップしたデータを用いたユーザサービスの提供を可能とする。【解決手段】バックアップサーバ１０が、携帯通信装置２０のメモリ１１２に記憶されているデータを受信し、受信したメモリデータを記憶装置１５に記憶し、またサービス装置６０からインターネット３０を介して送信されてくるダウンロード要求に応じて、記憶装置１５に記憶しているメモリデータをインターネット３０を介してサービス装置６０に送信する。サービス装置６０は、バックアップサーバ１０から送信されてくるメモリデータを受信して、これを携帯通信装置２０に転送する。またバックアップサーバ１０は、記憶装置１５に記憶されているメモリデータをインターネット３０に公開する。【選択図】  図１
2006287853.tif 000002
【特許請求の範囲】
【請求項１】
携帯通信装置と、前記携帯通信装置と携帯電話網を介して通信可能に接続するバックアップサーバと、前記バックアップサーバに接続する記憶装置と、前記バックアップサーバにインターネットを介して通信可能に接続し、前記携帯通信装置と通信可能に接続するサービス装置と、を含んで構成されるシステムにおいて行われる、携帯通信装置に記憶されているデータの管理方法であって、
前記バックアップサーバが、前記携帯通信装置から前記携帯電話網を介して送信されてくる、前記携帯通信装置に記憶されているデータを受信する工程と、
前記バックアップサーバが、受信した前記データを前記記憶装置に記憶する工程と、
前記バックアップサーバが、前記サービス装置からインターネットを介して送信されてくる前記データの送信要求を受信する工程と、
前記バックアップサーバが、前記記憶装置に記憶されている前記データを、インターネットを介して前記サービス装置に送信する工程と、
前記サービス装置が、前記データを受信する工程と、
前記サービス装置が、受信した前記データを前記携帯通信装置に送信する工程と、
を含むこと
を特徴とする携帯通信装置に記憶されているデータの管理方法。
【請求項２】
請求項１に記載の携帯通信装置に記憶されているデータの管理方法であって、
前記バックアップサーバは、前記携帯通信装置から、前記データを暗号化された状態で受信し、前記データを暗号化された状態のまま前記記憶装置に記憶すること
を特徴とする携帯通信装置に記憶されているデータの管理方法。
【請求項３】
請求項２に記載の携帯通信装置に記憶されているデータの管理方法であって、
前記バックアップサーバは、前記携帯電話機から受信して前記記憶装置に記憶する前記データに、前記データを識別するための情報を付帯させること
を特徴とする携帯通信装置に記憶されているデータの管理方法。
【請求項４】
請求項２に記載の携帯通信装置に記憶されているデータの管理方法であって、
前記バックアップサーバが前記携帯通信装置から受信して前記記憶装置に記憶する前記データは、予め設定された複数のグループに分類されるとともに、前記データは前記グループごとに暗号化されており、
前記バックアップサーバは、前記属性ごとに前記データを受信すること
を特徴とする携帯通信装置に記憶されているデータの管理方法。
【請求項５】
請求項１に記載の携帯通信装置に記憶されているデータの管理方法であって、
前記バックアップサーバが、前記携帯通信装置に、前記データの送信を開始させる旨の要求を送信する工程
を含むこと
を特徴とする携帯通信装置に記憶されているデータの管理方法。
【請求項６】
請求項１に記載の携帯通信装置に記憶されているデータの管理方法であって、
前記バックアップサーバが、前記携帯通信装置に、前記携帯通信装置が前記データを前記バックアップサーバに送信する日時を示す情報を送信する工程を含み、
前記携帯通信装置から前記バックアップサーバへの前記データの送信は、前記携帯通信装置が前記情報に示される日時に行われること
を特徴とする携帯通信装置に記憶されているデータの管理方法。
【請求項７】
請求項１に記載の携帯通信装置に記憶されているデータの管理方法であって、
前記バックアップサーバが、前記サービス装置から、前記携帯通信装置に記憶されているデータを消去又は暗号化する旨の要求を受信する工程と、
前記バックアップサーバが、前記消去又は暗号化の対象となる前記携帯通信装置に記憶されているデータが、前記記憶装置に記憶されているかどうかを判断する工程と、
前記バックアップサーバが、前記データが前記記憶装置に記憶されていると判断した場合に、前記携帯通信装置に前記データを消去又は暗号化する処理の実行要求を送信する工程と、
を含むこと
を特徴とする携帯通信装置に記憶されているデータの管理方法。
【請求項８】
請求項１に記載の携帯通信装置に記憶されているデータの管理方法であって、
前記バックアップサーバが、前記記憶装置に記憶した前記データをインターネットに公開する工程
を含むこと
を特徴とする携帯通信装置に記憶されているデータの管理方法。
【請求項９】
請求項８に記載の携帯通信装置に記憶されているデータの管理方法であって、
前記バックアップサーバが、前記記憶装置に記憶した前記データをインターネットに公開する際に付与したインターネット上のアドレスを、前記携帯通信装置に送信する工程
を含むこと
を特徴とする携帯通信装置に記憶されているデータの管理方法。
【請求項１０】
請求項８に記載の携帯通信装置に記憶されているデータの管理方法であって、
前記バックアップサーバが、前記携帯通信装置から、インターネットに公開する前記データに設定するアクセス制限に関する情報を受信する工程と、
前記バックアップサーバが、インターネットに公開する前記データに、前記アクセス制限に関する情報に従ってアクセス制御を施す工程と、
を含むこと
を特徴とする携帯通信装置に記憶されているデータの管理方法。
【請求項１１】
請求項８に記載の携帯通信装置に記憶されているデータの管理方法であって、
前記バックアップサーバが、前記記憶装置に記憶した前記データに対応づけられた、インターネットに接続する他の装置が書き込み可能な記憶領域を設定する工程を含むこと
を特徴とする携帯通信装置に記憶されているデータの管理方法。
【請求項１２】
請求項１１に記載の携帯通信装置に記憶されているデータの管理方法であって、
前記バックアップサーバが、インターネット上で動作するメールサーバと連携して動作する工程と、
前記バックアップサーバが、前記書き込み可能な記憶領域に、前記メールサーバから送信されてくる電子メールを記憶する工程と、
を含むこと
を特徴とする携帯通信装置に記憶されているデータの管理方法。
【請求項１３】
前記携帯通信装置と携帯電話網を介して通信可能に接続するバックアップサーバと、前記バックアップサーバに接続する記憶装置と、前記バックアップサーバにインターネットを介して通信可能に接続し、前記携帯通信装置と通信可能に接続するサービス装置と、を含んで構成されるシステムにおける前記バックアップサーバであって、
前記携帯通信装置から前記携帯電話網を介して送信されてくる、前記携帯通信装置に記憶されているデータを受信し、
受信した前記データを前記記憶装置に記憶し、
前記サービス装置からインターネットを介して送信されてくる前記データの送信要求を受信し、
前記記憶装置に記憶されている前記データを、インターネットを介して前記サービス装置に送信するバックアップサーバ。
【請求項１４】
携帯通信装置と、前記携帯通信装置と携帯電話網を介して通信可能に接続するバックアップサーバと、前記バックアップサーバに接続する記憶装置と、前記バックアップサーバにインターネットを介して通信可能に接続し、前記携帯通信装置と通信可能に接続するサービス装置と、を含んで構成され、前記バックアップサーバが、前記携帯通信装置から前記携帯電話網を介して送信されてくる、前記携帯通信装置に記憶されているデータを受信し、受信した前記データを前記記憶装置に記憶し、前記サービス装置からインターネットを介して送信されてくる前記データの送信要求を受信し、前記記憶装置に記憶されている前記データを、インターネットを介して前記サービス装置に送信するシステムにおける、前記サービス装置であって、
前記バックアップサーバから送信されてくる、前記記憶装置に記憶されているデータをインターネットを介して受信し、
前記携帯通信装置に、受信した前記データを送信するサービス装置。
【発明の詳細な説明】
【技術分野】
【０００１】
本発明は、携帯通信装置に記憶されているデータの管理方法、バックアップサーバ、及びサービス装置に関する。
【背景技術】
【０００２】
昨今の携帯電話機は様々な付加機能を備えており、携帯電話機の内蔵メモリには、電話帳やスケジュール、付属のカメラで撮影した画像データ等、様々なデータ（以下、メモリデータという）が格納されている。また上記内蔵メモリには、着信音の音量や種類、画面の濃度等、携帯電話機の機能や動作の設定に関する情報が記憶されている。
【０００３】
ここで携帯電話機の故障や紛失等によってこれらの情報が失われると、ユーザは多大な損害を被ることになる。そこで、例えば特許文献1には、携帯電話機のメモリデータをインターネット上のサーバにバックアップする技術が開示されている。
【特許文献１】特開２００４−２２８６５９公報
【発明の開示】
【発明が解決しようとする課題】
【０００４】
ところで、近年、個人情報の取り扱いが問題となっており、サーバにバックアップされた個人情報の取り扱いに際しては、充分なセキュリティを確保することが求められる。その一方で、多様化するユーザニーズに応えるべく、サーバにバックアップされたデータを有効にユーザサービスに還元していくことも必要である。
【０００５】
本発明はこのような背景に鑑みてなされたもので、携帯通信装置に記憶されているデータを安全に管理し、バックアップしたデータを用いたユーザサービスの提供を可能とする、携帯通信装置に記憶されているデータの管理方法、バックアップサーバ、及びサービス装置を提供することを目的とする。
【課題を解決するための手段】
【０００６】
上記目的を達成するための本発明の主たる発明は、携帯通信装置と、前記携帯通信装置と携帯電話網を介して通信可能に接続するバックアップサーバと、前記バックアップサーバに接続する記憶装置と、前記バックアップサーバにインターネットを介して通信可能に接続し、前記携帯通信装置と通信可能に接続するサービス装置と、を含んで構成されるシステムにおいて行われる、携帯通信装置に記憶されているデータの管理方法であって、前記バックアップサーバが、前記携帯通信装置から前記携帯電話網を介して送信されてくる、前記携帯通信装置に記憶されているデータを受信する工程と、前記バックアップサーバが、受信した前記データを前記記憶装置に記憶する工程と、前記バックアップサーバが、前記サービス装置からインターネットを介して送信されてくる前記データの送信要求を受信する工程と、前記バックアップサーバが、前記記憶装置に記憶されている前記データを、インターネットを介して前記サービス装置に送信する工程と、前記サービス装置が、前記データを受信する工程と、前記サービス装置が、受信した前記データを前記携帯通信装置に送信する工程と、を含むこととする。
【０００７】
上記発明によれば、携帯通信装置の故障や紛失等によって携帯通信装置に記憶されているデータを失った場合でも、サービス装置を介して上記データを利用して復旧させることができる。このため、携帯通信装置に記憶されているデータを安全に管理することができる。なお、上記携帯通信装置は、例えば、携帯電話機である。
【０００８】
また上記バックアップサーバは、上記携帯通信装置から、上記データを暗号化された状態で受信し、上記データを暗号化された状態のまま前記記憶装置に記憶する。従って、携帯通信装置に記憶されていたデータを、記憶装置において安全に管理することが可能となる。
【０００９】
また上記バックアップサーバは、上記記憶装置に記憶した上記データをインターネットに公開する機能を有する。これによりバックアップされたデータを用いたユーザサービスを提供することが可能となる。
【発明の効果】
【００１０】
本発明によれば、携帯通信装置に記憶されているデータを安全な状態でバックアップするとともに、バックアップしたデータを利用してユーザサービスを提供することができる。
【発明を実施するための最良の形態】
【００１１】
以下、本発明の一実施形態について図面を参照しつつ詳細に説明する。  
図１は本発明の一実施形態として説明する携帯電話機のメモリに記憶されているデータ（以下、メモリデータという）のバックアップに関する処理（以下、バックアップ処理という）を管理するシステム（以下、データ管理システム１という）の概略構成である。同図において、バックアップサーバ１０は、通信事業者等によって運用されるコンピュータであり、インターネット３０に接続されている。バックアップサーバ１０には、メモリデータを記憶しておくための記憶装置１５が接続する。携帯電話機２０は、携帯電話網４０に接続して行われる通常の通話機能、及び携帯電話網４０にゲートウェイ装置５０を介してインターネット３０に接続する機能を備える。サービス装置６０は、携帯電話会社等が展開する携帯電話ショップ等のサービス店や、コンビニエンスストア等に設置されるコンピュータであり、インターネット３０に接続する。なお、サービス装置６０は専用線によってバックアップサーバ１０に通信可能に接続されていてもよい。サービス装置６０は携帯電話機２０と無線又は有線により通信を行う機能を備える。
【００１２】
図２にバックアップサーバ１０のハードウエア構成を示す。バックアップサーバ１０は、ＣＰＵ１１１、ＲＡＭ・ＲＯＭ等のメモリ１１２、ハードディスク１１３、データを入力するためのユーザインタフェースであるキーボードやマウス等の入力装置１１４、データを表示するためのユーザインタフェースであるブラウン管ディスプレイや液晶ディスプレイ等の表示装置１１５、インターネット３０に接続するための通信インタフェース１１６を含んで構成されている。バックアップサーバ１０に接続する記憶装置１５は、上記ハードディスク１１３や、バックアップサーバ１０に外付けされるハードディスク、半導体メモリ等によって構成される。
【００１３】
図３にバックアップサーバ１０のソフトウエア構成を示している。なお、同図に示す各構成部は、バックアップサーバ１０のハードウエア、又はＣＰＵ１１１がメモリ１１２やハードディスク１１３に記憶されているプログラムを実行することによって実現されている。
【００１４】
同図において、インターネット通信部３１１は、インターネット３０上の他の装置との間での通信を行う機能、及び記憶装置１５に記憶されているデータをインターネット３０上の他の装置からアクセス可能とするＷｅｂサーバとしての機能を有する。インターネット通信部３１１は、ＳＳＬ（Secure Socket Layer）等の暗号化通信方式（例えばＨＴＴＰＳ（Hypertext Transfer Protocol Security））による通信を行うこともできる。メモリデータ格納処理部３１２は、携帯電話機２０から送信されてくるメモリデータを記憶装置１５に格納する。メモリデータ格納処理部３１２の機能は、バックアップサーバ１０において動作するＤＢＭＳ（DataBase Management System）によって実現されている。メモリデータ送信開始命令送信部３１３は、メモリデータの送信開始の命令要求を送信する。またメモリデータ消去命令送信部３１４は、携帯電話機２０の有するメモリデータの消去命令要求を送信する。
【００１５】
図４に携帯電話機２０のハードウエア構成を示している。携帯電話機２０は、ＣＰＵ４１１、ＲＯＭやＲＡＭ等のメモリ４１２、入力装置４１３、表示装置４１４、音声処理装置４１５、マイクロフォン４１６、スピーカ４１７、通信装置４１８、通信アンテナ４１９、近距離通信インタフェース４２０、ＩＣカード装置４２１、及び携帯電話機２０に装着されるＩＣカード型メモリ４２２を含んで構成されている。
【００１６】
メモリ４１２には、携帯電話機２０が備える各種の機能を実現するためのプログラムやデータが記憶される。入力装置４１３は、操作ボタンや操作ダイヤル等のユーザインタフェースである。表示装置４１４は、液晶ディスプレイ等の表示デバイスであり、ユーザに提示する各種の情報が表示されるユーザインタフェースである。音声処理装置４１５は、マイクロフォン４１６から入力される送話音声信号を通信装置４１８に出力し、また通信装置４１８から入力される受話音声信号をスピーカ４１７に出力する。通信装置４１８は、通信アンテナ４１９を介して行われる携帯電話網４０との間で無線通信を行う。近距離通信インタフェース４２０は、サービス装置６０と有線又は無線通信より通信可能に接続するための通信インタフェースであり、例えば、Ｂｌｕｅｔｏｏｔｈ、赤外線通信（ＩｒＤＡ）、無線ＬＡＮ等の通信インタフェースである。ＩＣカード装置４２１は、ＩＣカード型メモリ４２２に対してデータの読み書きを行う装置である。鍵情報記憶装置４２５は、ユーザが入力した鍵情報（例えば、パスワードや生体認証情報）を記憶する。
【００１７】
図５に携帯電話機２０のソフトウエア構成を示している。同図に示す各構成部は、携帯電話機２０のハードウエア、又はＣＰＵ４１１がメモリ４１２に記憶されているプログラムを実行することによって実現されている。
【００１８】
同図において、インターネット通信部５１１は、インターネット３０に接続している他の装置との間での通信を行う。なお、インターネット通信部５１１は、ＳＳＬ（Secure Socket Layer）等の暗号化通信方式（例えば、ＨＴＴＰＳ（Hypertext Transfer Protocol Security））による通信も行う。メモリデータ送信部５１２は、バックアップサーバ１０からデータの送信開始の命令要求を受信し、命令要求を受信したのに応じてメモリ４１２に記憶されているデータ（以下、メモリデータという）をバックアップサーバ１０に送信する。メモリデータ暗号化部５１３は、鍵情報記憶装置４２５に記憶されている鍵情報によってメモリデータを暗号化する。メモリデータ消去暗号化要求受信部５１４は、サービス装置６０から後述する消去暗号化実行要求を受信して、メモリデータの消去又は暗号化を行う。サービス装置通信部５１５は、サービス装置６０との間で行われる通信に関する処理を行う。メモリデータダウンロード部５１６は、サービス装置６０から受信したメモリデータを記憶装置１５に格納する。メモリデータ復号化部５１７は、サービス装置から受信したメモリデータの復号化に関する処理を行う。近距離通信部５１８は、近距離通信インタフェース４２０によって行われるサービス装置６０との間の通信に関する処理を行う。
【００１９】
図６にサービス装置６０のハードウエア構成を示している。サービス装置６０は、ＣＰＵ６１１、ＲＡＭ・ＲＯＭ等のメモリ６１２、ハードディスク６１３、データを入力するためのユーザインタフェースであるキーボードやマウス等の入力装置６１４、データを表示するためのユーザインタフェースであるブラウン管ディスプレイや液晶ディスプレイ等の表示装置６１５、インターネット３０に接続するための通信インタフェース６１６、近距離通信インタフェース６１７等を含んで構成されている。なお、近距離通信インタフェース６１７は、携帯電話機２０と有線又は無線通信より通信可能に接続するための通信インタフェースであり、例えば、Ｂｌｕｅｔｏｏｔｈ、赤外線通信（ＩｒＤＡ）、無線ＬＡＮ等の通信インタフェースである。
【００２０】
図７にサービス装置６０のソフトウエア構成を示している。なお、同図に示す各部は、サービス装置６０のハードウエア、又はＣＰＵ６１１がメモリ６１２やハードディスク６１３に記憶されているプログラムを実行することによって実現されている。
【００２１】
同図において、インターネット通信部７１１は、インターネット３０上の他の装置との間での通信を行う。なお、インターネット通信部３１１は、ＳＳＬ（Secure Socket Layer）等の暗号化通信方式（例えばＨＴＴＰＳ（Hypertext Transfer Protocol Security））による通信も行う。バックアップサーバ通信部７１２は、バックアップサーバ１０との間で行われる通信に関する処理を行う。メモリデータ受信部７１３は、バックアップサーバ１０から送信されてくるメモリデータを受信する。消去暗号化要求送信部７１４は、バックアップサーバ１０に後述する消去暗号化要求を送信する。メモリデータ復号化部７１６は、バックアップサーバ１０から送信されてくるメモリデータの復号化に関する処理を行う。近距離通信部７１７は、近距離通信インタフェース６１７によって行われる携帯電話機２０との間の通信に関する処理を行う。
【００２２】
図８は、携帯電話機２０のメモリ４１２に記憶されているメモリデータの管理情報（以下、メモリデータ管理情報８００という）の構成である。同図において、データ内容８１１には、メモリデータの種類を示す情報が設定される。このメモリデータ管理情報８００には、５種類（ＩＣカード情報、電話帳１、電話帳２、画像データ、音楽データ）のメモリデータが管理されている。
【００２３】
変更日時８１２には、メモリデータの更新日時が設定される。送信日時８１３には、そのメモリデータがバックアップサーバ１０に送信された（すなわち、バックアップされた）日時が設定される。データ属性８１５には、そのメモリデータのデータ属性が設定される。ここでデータ属性とは、そのメモリデータの管理形態を示す情報であり、携帯電話機２０において、メモリデータは、データ属性ごとの複数のグループに分類されて管理されている。図８には、「端末情報」、「秘密情報」、「公開情報」の３つのデータ属性を例示している。このうち、「端末情報」は、そのメモリデータが例えばＩＣカード型メモリ４２２に記憶されている情報に設定されるデータ属性である。また「秘密情報」は、メモリデータが個人情報である場合のように、バックアップサーバ１０において秘密に管理する必要のある情報に設定されるデータ属性である。「公開情報」は、インターネット３０上に公開するメモリデータに設定されるデータ属性である。図８では、データ内容８１１が「画像データ」及び「音楽データ」のメモリデータのデータ属性８１５が「公開情報」に設定されている。「公開情報」に設定されたメモリデータがインターネット３０上に公開される仕組みについては後述する。なお、以上に例示したデータ属性以外のデータ属性をさらに定義することもできる。
【００２４】
メモリデータ管理情報８００の公開設定８１６の内容は、データ属性８１５に「公開情報」が設定されている場合に設定される。公開設定８１６には、メモリデータをインターネット３０上に公開する際、そのメモリデータに施すアクセス制限に関する情報が設定される。例えば、図８では「画像データ」のメモリデータの公開設定８１６に「パスワード：ＸＸＸＸＸＸ」が設定されているが、この設定によりインターネット３０上の他の装置が当該メモリデータにアクセスする場合には、パスワードの入力を要求するアクセス制限が施される。
【００２５】
また公開設定８１６には、メモリデータをインターネット３０上で公開する際のＵＲＬ（以下、保存ＵＲＬという）を、毎回のバックアップ処理によって変化しないように固定するオプション（以下、ＵＲＬ固定オプションという）を指定することができる。また保存ＵＲＬに対応づけたインターネット３０に接続する他の装置から読み書きが可能な記憶領域を確保するオプション（以下、記憶領域付加オプションという）を設定することができる。記憶領域付加オプションを設定することにより確保される上記記憶領域は、例えば、保存ＵＲＬ８１４のＵＲＬに格納されている特定のデータに対するアクセスログの記憶エリアとして利用することができる。また上記記憶領域を利用して、携帯電話機２０の製造番号を公開情報に設定し、携帯電話機２０に不具合が発生した場合、携帯電話機２０の製造メーカがインターネット３０上で上記製造番号を検索することにより上記記憶領域にアクセスし、不具合に関する情報を上記記憶領域に書き込むといったことが可能になる。またインターネット３０上で動作するメールサーバとバックアップサーバ１０とを連携動作させて、その携帯電話機２０の不具合情報等を記載した電子メールを上記記憶領域に書き込むといったことも可能である。
【００２６】
メモリデータ管理情報８００の保存ＵＲＬ８１４には、そのメモリデータが「公開情報」である場合にバックアップサーバ１０によって発行される、そのメモリデータが公開されるインターネット３０上のＵＲＬが設定される。図８では「画像データ」の保存ＵＲＬ８１４にＵＲＬ「http://XXX/X.jpg」が設定されている。一方、「音楽データ」のメモリデータはバックアップサーバ１０に未送信の状態であるので（送信日時が「未送信」）、保存ＵＲＬ８１４にはまだ何も設定されていない。
【００２７】
ところで、データ属性８１５及び公開設定８１６については、以上のようにメモリデータ管理情報８００に含めて管理するようにしてもよいが、これらは例えばデータ内容８１１をキーとしてメモリデータ管理情報８００の他の情報とは独立して管理するようにしてもよい。
【００２８】
図９Ａは、バックアップ処理に際し、携帯電話機２０からバックアップサーバ１０に送信されるデータ（以下、バックアップデータ９００という）の構成である。また図９Ｂは、図９Ａのデータヘッダ９３１の構成であり、図９Ｃは、図９Ａのデータボディ９３２の構成であり、図９Ｄは、図９Ｃのデータ情報９３２１の構成である。
【００２９】
バックアップデータ９００は、データヘッダ９３１とデータボディ９３２とが含まれている（図９Ａ）。このうちデータヘッダ９３１には、携帯電話機２０ごとに付与される固有の識別子であるユーザＩＤ９３１１（例えば、携帯電話機２０の電話番号）、データ属性９３１２、携帯電話機２０がバックアップデータを送信した日時である送信日時９３１３、バックアップサーバ１０の識別子であるサーバＩＤ９３１４（例えば、バックアップサーバ１０のＩＰアドレス）、携帯電話機２０がバックアップサーバ１０にアクセスする際に必要なパスワードやデジタル証明書等の鍵情報９３１５、データボディ９３２のデータサイズ９３１６等の情報が設定される（図９Ｂ）。なお、バックアップデータ９００は、原則としてデータ属性ごとに作成される。
【００３０】
データボディ９３２には、少なくとも一つ以上の、データ情報９３２１及び暗号化/非暗号化データ９３２２の組み合わせが含まれている（図９Ｃ）。データ情報９３２１には、データ属性が設定されるデータ属性９３２１１、個々の暗号化／非暗号化データを識別するための情報であるデータＩＤが設定されるデータＩＤ９３２１２、暗号化/非暗号化データ９３２２のデータサイズが設定されるデータサイズ９３２１３、暗号化/非暗号化データ９３２２が記憶装置１５に記憶された日時が設定されるバックアップ日時９３２１４、メモリデータ管理情報８００における公開設定８１６の内容等が設定されるデータ属性に特有の情報９３２１５が含まれている。
【００３１】
暗号化／非暗号化データ９３２２には、暗号化又は非暗号化された状態のメモリデータが設定される。データ属性９３１２に「端末情報」、「秘密情報」が設定されている場合には、暗号化/非暗号化データ９３３に設定されているメモリデータは、鍵情報９３１５によって暗号化されている。なお、この暗号化は携帯電話機２０においてなされる。
【００３２】
図１０は、バックアップサーバ１０によって記憶装置１５に記憶されるメモリデータ（以下、保存データ１０００という）の構成である。
【００３３】
同図に示すユーザＩＤ１０１１には、バックアップデータ１０００に設定されているユーザＩＤ９３１１の内容が設定される。データ領域１０１２には、バックアップデータ９００のデータ９３１やデータボディ９３２の内容が設定される。なお、データ領域１０１２の実体は、例えば、ファイルシステムにおけるフォルダ等、データ属性ごとに区画されたディスク領域である。なお、データ領域１０１２の実体がフォルダである場合、保存データ１０００をデータ属性ごとに異なるフォルダに格納して管理するようにしてもよい。
【００３４】
データＩＤ１０１３には、データ情報９３２１のデータＩＤ９３２１２に設定されているデータＩＤが設定される。なお、このデータＩＤによって、データ領域に格納されるメモリデータが暗号化されていても、個々のデータを一意に特定することができる。受信日時１０１４には、バックアップサーバ１０が携帯電話機２０からバックアップデータ９００を受信した日時が設定される。
【００３５】
図１１に、携帯電話機２０とバックアップサーバ１０とのメモリデータのバックアップ処理のメッセージフローを示している。まずバックアップサーバ１０が、予め設定された時間や条件に従ってバックアップ処理を開始し（Ｓ１１５１）、バックアップサーバ１０は、バックアップデータ９００の送信を開始する旨の要求（以下、バックアップ開始要求という）を携帯電話機２０に送信する（Ｓ１１５２）。  
なお、このように、バックアップ処理は携帯電話機２０からの要求によって開始されるのではなく、バックアップサーバ１０からの指示により、バックアップサーバ１０の主導で開始される。従ってバックアップサーバ１０側の都合で（例えばバックアップサーバ１０の負荷が少ない日時）バックアップ処理を行うことができ、これによりバックアップサーバ１０の効率的な運用が可能となる。
【００３６】
携帯電話機２０は、バックアップサーバ１０から送信されてくるバックアップ開始要求を受信すると（Ｓ１１５３）、受信したバックアップ開始要求を認証する。認証で問題が無ければ、携帯電話機２０はバックアップ開始要求に対する受信応答をバックアップサーバ１０に送信する（Ｓ１１５４）。バックアップサーバ１０は、携帯電話機２０から送信されてくる上記受信応答を受信すると、携帯電話機２０から送信されてくるバックアップデータ９００の受信待ち状態となる（Ｓ１１５５）。
【００３７】
次に、携帯電話機２０は、バックアップサーバ１０に対してバックアップデータ９００の送信を開始する（Ｓ１１５６〜Ｓ１１６８）。ここで本実施形態のデータ管理システム１では、バックアップデータ９００の送信はデータ属性ごとに行われ、バックアップサーバ１０は、夫々のデータ属性についてのバックアップデータ９００を受信すると、これを記憶装置１５に保存データ１０００として記憶する（Ｓ１１５７、Ｓ１１６１、Ｓ１１６６）。またバックアップサーバ１０は、あるデータ属性についてのバックアップデータ９００を受信し終える度に、携帯電話機２０に対して受信応答を送信する（Ｓ１１５８、Ｓ１１６２、Ｓ１１６７）。同図に示すメッセーフローでは、「端末情報」、「秘密情報」、「公開情報」の順にバックアップデータ９００をバックアップサーバ１０に送信しているが（Ｓ１１５６、Ｓ１１６０、Ｓ１１６５）、送信順序はこれに限られない。
【００３８】
バックアップサーバ１０は、データ属性が「公開情報」であるバックアップデータ９００が送信されてきた場合、そのバックアップデータ９００の保存ＵＲＬ９１５の内容を、そのバックアップデータ９００の受信応答に付帯させる。携帯電話機２０は、公開情報のバックアップデータの受信応答を受信すると（Ｓ１１６８）、これに付帯される保存ＵＲＬの内容をメモリデータ管理情報８００の保存ＵＲＬ８１４に設定する（Ｓ１１６４）。
【００３９】
なお、従来、画像データ等をインターネット上で公開するには、携帯電話機に所定の操作を行って、携帯電話機のメモリに記憶されている画像データ等を一つずつＷｅｂサーバに転送し、かつ、その画像データのＵＲＬを設定する必要があったが、本実施形態のデータ管理システム１では、公開する画像データ等として記憶装置１５に記憶されているデータを利用し、かつ、そのＵＲＬもバックアップサーバ１０によって自動的に付与される。このため、ユーザは、面倒な操作を強いられることなく、画像データ等の携帯電話機のメモリに記憶されているデータを、インターネットに容易に公開することができる。
【００４０】
次に、バックアップサーバ１０は、携帯電話機２０から送信されてくる全てのバックアップデータ９００を受信し終えると、バックアップ終了応答を携帯電話機２０に送信する（Ｓ１１６９）。
【００４１】
ところで、バックアップデータ９００の送信は、特定のデータ属性のメモリデータについてのバックアップデータ９００のみを送信するようにすることもできる。例えば、頻繁に更新されるデータ属性のメモリデータ（例えば、データ属性が「端末情報」であるメモリデータ）と、比較的更新頻度が少ないデータ属性のメモリデータ（例えば、データ属性が「秘密情報」であるメモリデータ）が存在する場合において、バックアップ処理を開始するための条件をデータ属性ごとに個別に設定し、夫々のデータ属性のメモリデータが、夫々について設定された条件に従って個別にバックアップされるようにすることもできる。
【００４２】
また、図１１では、バックアップサーバ１０から携帯電話機２０にバックアップ開始要求が送信されたことを契機として携帯電話機２０からバックアップデータ９００の送信が開始されるようにしているが、予めバックアップサーバ１０から携帯電話機２０にバックアップデータ９００の送信日時を通知しておき、携帯電話機２０が通知された送信日時になるとバックアップデータ９００の送信を開始するようにしてもよい。この場合、上記送信日時の通知は、携帯電話機２０からバックアップサーバ１０への問い合わせに応じて行うようにしてもよいし、携帯電話機２０からの問い合わせの有無に拘わらず、バックアップサーバ１０から携帯電話機２０に通知するようにしてもよい。
【００４３】
図１２は、図１１に示したバックアップ処理における、携帯電話機２０の処理を説明するフローチャートである。携帯電話機２０は、バックアップサーバ１０から送信されてくるバックアップ開始要求を受信すると(Ｓ１２１１)、受信したバックアップ開始要求を認証する（Ｓ１２１２）。この認証は、携帯電話機２０がバックアップ開始要求に付帯する認証情報（例えば、デジタル証明書、バックアップサーバ１０のＩＰアドレス）を利用して行われる。この認証が行われることで、バックアップサーバ１０になりすまして携帯電話機２０のメモリデータを盗み取るといった不正行為を防ぐことができる。上記認証に失敗した場合（Ｓ１２１２：認証失敗）、携帯電話機２０は、バックアップサーバ１０にエラーメッセージを送信する（Ｓ１２１３）。上記認証に成功した場合（Ｓ１２１２：認証成功）、携帯電話機２０は、バックアップサーバ１０にバックアップ開始要求の受信応答を送信する（Ｓ１２１４）。
【００４４】
次に、携帯電話機２０は、バックアップ対象のメモリデータを選出する（Ｓ１２１５）。この選出は、メモリデータ管理情報８００を参照して行われ、携帯電話機２０は、メモリデータの管理情報８００における送信日時が設定されていないメモリデータ（すなわち、過去に一度もバックアップされていないメモリデータ）、変更日時８１２が送信日時８１３よりも後であるメモリデータ（すなわち、前回バックアップサーバ１０に送信された後に内容が変更されたメモリデータ）を、バックアップ対象のメモリデータとして選出する。
【００４５】
なお、Ｓ１２１１において、携帯電話機２０がバックアップサーバ１０から受信するバックアップ開始要求には、上記選出を行うことなく全てのメモリデータをバックアップ対象とするオプション（以下、フルバックアップオプションという）を設定することもできる。
【００４６】
Ｓ１２１６では、携帯電話機２０は、メモリデータ管理情報８００を参照し、バックアップ対象として選出したメモリデータのデータ属性を調べる（Ｓ１２１６）。ここでデータ属性が「端末情報」であればＳ１２１７に、「秘密情報」であればＳ１２１８に、「公開情報」であればＳ１２１９にそれぞれ進む。Ｓ１２１７では、バックアップデータ９００に設定するデータ情報９３２１の内容と、暗号化／非暗号化データ９３２２に設定する当該メモリデータを暗号化したデータとを生成する。またＳ１２１８では、バックアップデータ９００に設定するデータ情報９３２１の内容と、暗号化／非暗号化データ９３２２に設定する当該メモリデータを暗号化したデータとを生成する。Ｓ１２１９では、バックアップデータ９００に設定するデータ情報９３２１を生成する。なお、携帯電話機２０は、メモリデータを非暗号化の状態のままバックアップデータ９００の暗号化／非暗号化データ９３２２に設定する。また携帯電話機２０は、メモリデータ管理情報８００の公開設定８１６に内容が設定されているかどうかを調べ（Ｓ１２２０）、設定されている場合には（Ｓ１２２０：有り）、その内容をデータ情報１０３２の特有の情報９３２１５に設定する（Ｓ１２２１）。公開設定が無い場合（Ｓ１２２０：無し）にはＳ１２２２に進む。
【００４７】
Ｓ１２２２では、携帯電話機２０は、バックアップ対象の全てのメモリデータについて、データ情報９３２１及び暗号化／非暗号化データ９３２２の作成が完了したかどうかをデータ属性ごとに判断している（Ｓ１２２２）。あるデータ属性の全てのメモリデータについて、データ情報９３２１及び暗号化／非暗号化データ９３２２の作成が完了した場合には、そのデータ属性のメモリデータのバックアップサーバ１０への送信を開始する（Ｓ１２２３）。
【００４８】
Ｓ１２２４では、携帯電話機２０は、Ｓ１２２３において送信したデータ属性ごとのメモリデータについて、バックアップサーバ１０からの受信応答があったかどうかを判断している（Ｓ１２２４）。携帯電話機２０は、あるデータ属性についての受信応答を受信した場合（Ｓ１２２３：受信）、そのデータ属性が「公開情報」であるかどうかを調べる（Ｓ１２２５）。ここでデータ属性が「公開情報」であった場合（Ｓ１２２５：ＹＥＳ）、携帯電話機２０はその受信応答に付帯する「公開情報」の保存ＵＲＬを取得して、メモリデータ管理情報８００の対応するメモリデータの保存ＵＲＬ８１４に設定する(Ｓ１２２６)。Ｓ１２２４においてタイムアウトした場合には（Ｓ１２２４：タイムアウト）、処理が終了する。
【００４９】
Ｓ１２２７において、携帯電話機２０は、バックアップ対象の全てのメモリデータを送信したかどうかを判断している。バックアップ対象の全てのメモリデータを送信済である場合には（Ｓ１２２７：ＹＥＳ）、Ｓ１２２８に進む。未送信のメモリデータが存在する場合には（Ｓ１２２７：ＮＯ）、Ｓ１２１５の処理に進む。
【００５０】
Ｓ１２２８において、携帯電話機２０は、バックアップサーバ１０からのバックアップ終了応答があったかどうかを判断しており、終了応答を受信すれば（Ｓ１２２８：ＹＥＳ）バックアップデータ９００の送信が終了する。
【００５１】
図１３は、図１１に示したバックアップ処理における、バックアップサーバ１０の処理を説明するフローチャートである。バックアップサーバ１０は、予め設定された時間や条件に従って携帯電話機２０にバックアップ開始要求を送信し（Ｓ１３１１）、携帯電話機２０からの受信応答待ちの状態となる（Ｓ１３１２）。受信応答待ち状態がタイムアウトすると（Ｓ１３１２：タイムアウト）、バックアップ処理は終了する（Ｓ１３１３）。
【００５２】
受信応答を受信した場合には（Ｓ１３１２：受信）、次にバックアップサーバ１０は、携帯電話機２０から送信されてくるバックアップデータ９００の受信待ち状態となる（Ｓ１３１４）。受信待ち状態がタイムアウトすると（Ｓ１３１４：タイムアウト）、バックアップ処理は終了する（Ｓ１３１３）。なお、携帯電話機２０側のバックアップデータ９００の準備時間を考慮して、Ｓ１３１４におけるタイムアウト時間をＳ１３１４におけるタイムアウト時間より長めに設定するようにしてもよい。
【００５３】
バックアップデータ９００を受信した場合（Ｓ１３１４：受信）、バックアップサーバ１０は、受信したバックアップデータ９００を認証する（Ｓ１３１５）。この認証は、バックアップデータ９００に付帯する認証情報（例えば、パスワード、デジタル証明書、携帯電話機の電話番号や携帯電話機の製造番号）を利用して行われる。上記認証に成功した場合（Ｓ１３１５：認証成功）、バックアップサーバ１０はバックアップデータ９００を記憶装置１５に保存データ１０００として格納する。Ｓ１３１６では、バックアップデータ９００のデータ属性を判断している。なお、この判断は、例えば、バックアップデータ９００のデータヘッダ９３１のデータ属性９３１２や、データ情報９３２１のデータ属性９３２１１を利用して行われる。
【００５４】
Ｓ１３１６において、データ属性が「端末情報」であった場合には（Ｓ１３１６：端末情報）、Ｓ１３１７に進む。またデータ属性が「秘密情報」であった場合には（Ｓ１３１６：秘密情報）、Ｓ１３１８に進む。またデータ属性が「公開情報」であった場合（Ｓ１３１６：公開情報）には、Ｓ１３１９に進む。
【００５５】
Ｓ１３１７では、そのバックアップデータ９００に含まれる暗号化／非暗号化データ９３２２を、記憶装置１５の「端末情報」のメモリデータを記憶しておくための記憶領域に、記憶保存データ１０００として記憶する。なお、この場合、メモリデータは暗号化された状態で記憶装置１５に記憶される。Ｓ１３１８では、そのバックアップデータ９００に含まれる暗号化／非暗号化データ９３２２を、記憶装置１５の「秘密情報」のメモリデータを記憶しておくための記憶領域に、記憶保存データ１０００として記憶する。なお、この場合、メモリデータは暗号化された状態で記憶装置１５に記憶される。Ｓ１３１９では、そのバックアップデータ９００に含まれる暗号化／非暗号化データ９３２２を、記憶装置１５の「公開情報」のメモリデータを記憶しておくための記憶領域に、保存データ１０００として記憶する。なお、この場合、メモリデータは、暗号化されない状態で記憶装置１５に記憶される。続くＳ１３２０では、バックアップサーバ１０は、当該バックアップデータ９００のデータ情報９３２１の特有の情報９３２１５に内容が設定されているかどうかを調べている（Ｓ１３２０）。内容が設定されている場合には（Ｓ１３２０：有り）、バックアップサーバ１０は、当該バックアップデータ９００に対応する保存データ１０００のインターネット３０上での公開に際し、上記特有の情報９３２１５の内容に対応したアクセス制限等が行われるように、上記特有の情報９３２１５の内容（すなわち、公開設定の内容）を反映する（Ｓ１３２１）。Ｓ１３２０において、公開設定に関する情報が無ければ（Ｓ１３２０：無し）Ｓ１３２２に進む。Ｓ１３２２において、バックアップサーバ１０は、記憶装置１５に記憶した保存データ１０００の記憶領域に対応するＵＲＬ（保存ＵＲＬ）を、後述するＳ１３２４にて携帯電話機２０に送信する応答メッセージに設定している（Ｓ１３２２）。
【００５６】
Ｓ１３２３では、バックアップサーバ１０は、データ属性ごとに、全ての暗号化／非暗号化データ１０３３を受信したかどうかを判断している（Ｓ１３２３）。この判断は、例えば、受信した暗号化／非暗号化データ１０３３のデータサイズと、データヘッダ９３１のデータサイズ９３１６の内容とを比較することにより行われる。
【００５７】
Ｓ１３２３において、あるデータ属性についての全ての暗号化／非暗号化データ１０３３を受信した場合（Ｓ１３２３：ＹＥＳ）、バックアップサーバ１０は、そのデータ属性についてバックアップを終了した旨の応答（以下、応答メッセージという）を携帯電話機２０に送信する（Ｓ１３２４）。なお、Ｓ１３２３において、受信していない場合には（Ｓ１３２３：ＮＯ）、Ｓ１３１４に進む。
【００５８】
Ｓ１３２５では、バックアップサーバ１０は、携帯電話機２０から送信されてくる全てのバックアップデータ９００を受信したかどうかを判断している（Ｓ１３２５）。全てのバックアップデータ９００を受信していない場合は（Ｓ１３２５：ＮＯ）Ｓ１３１４に進む。全てのバックアップデータ９００を受信した場合はＳ１３２６に進む。  
Ｓ１３２６では、バックアップサーバ１０は、携帯電話機２０にバックアップデータ９００の受信を終了した旨のメッセージ（以下、終了メッセージという）を送信する。
【００５９】
図１４は、携帯電話機２０にメモリデータを復旧させる処理を説明するフローチャートである。携帯電話機２０へのメモリデータの復旧は、サービス装置６０を介して行われ、携帯電話機２０等を紛失等したユーザは、新たに買い直した携帯電話機２０や、修理から返ってきた携帯電話機２０に、サービス装置６０を利用してメモリデータを復旧させる。
【００６０】
ユーザは、携帯電話機２０をサービス装置６０と通信可能な状態にセットして、サービス装置６０にダウンロード（送信）を開始するための所定の操作を行う。これによりサービス装置６０からバックアップサーバ１０に対してメモリデータのダウンロード要求が送信される（Ｓ１４１１）。なお、送信されるダウンロード要求には、携帯電話機２０のユーザＩＤ（例えば電話番号）、及び認証情報（例えば、パスワード、デジタル証明書、サービス装置６０のＩＰアドレス、生体認証情報）が付帯する。
【００６１】
バックアップサーバ１０は、上記ダウンロード要求を受信すると（Ｓ１４１２）、受信したダウンロード要求を認証する（Ｓ１４１３）。認証に失敗した場合（Ｓ１４１３：認証失敗）、バックアップサーバ１０からサービス装置６０に認証に失敗した旨が通知される（Ｓ１４１４）。認証に成功すると（Ｓ１４１３：認証成功）、バックアップサーバ１０は記憶装置１５にその携帯電話機２０についての保存データ１０００が存在するかどうかを検索する（Ｓ１４１５）。
【００６２】
保存データ１０００が存在しなかった場合（Ｓ１４１５：無し）、バックアップサーバ１０は、ダウンロードできない旨のメッセージを携帯電話機２０に送信する（Ｓ１４１６）。保存データ１０００が存在した場合（Ｓ１４１５：有り）、バックアップサーバ１０は、該当の保存データ１０００のデータ領域１０１２に記憶されているメモリデータをサービス装置６０に送信（ダウンロード）する（Ｓ１４１７）。
【００６３】
ここでダウンロードされるメモリデータには、保存データ１０００のユーザＩＤ１０１１、データ領域１０１２に格納されている他の情報、受信日時１０１４の内容、保存ＵＲＬ１０１５の内容、公開設定１０１６の内容等が付帯する。なお、サービス装置６０に送信するメモリデータのデータ属性が、「端末情報」又は「秘密情報」である場合には、メモリデータは暗号化されて送信される。またＳ１４１５において検索された保存データ１０００の公開設定１０１６に内容が設定されていた場合、バックアップサーバ１０は、サービス装置６０に送信するメモリデータを上記内容として設定されている鍵情報（例えば、パスワード）を用いて暗号化する。これにより、データ属性が「公開情報」のメモリデータを安全にサービス装置６０にダウンロードすることができる。
【００６４】
次に、サービス装置６０は、バックアップサーバ１０からダウンロードされたメモリデータを携帯電話機２０に転送する（Ｓ１４１８）。なお、携帯電話機２０にメモリデータを復旧させるには、メモリデータを復号化する必要があるが、この復号化はサービス装６０で行ってもよいし、携帯電話機２０で行ってもよい。なお、復号化においては、ユーザに復号化に必要な鍵情報（例えば、パスワードや生体認証情報）を入力させる。またダウンロードしたメモリデータに同一のメモリデータが重複して含まれている場合（例えば、タイムスタンプの異なる同一ファイル名のファイルが複数存在する場合）も想定されるが、この場合には、例えばメモリデータに付帯してダウンロードされる受信日時（保存データ１０００の受信日時１０１４の内容）を比較して最新のメモリデータを採用するようにする。
【００６５】
図１５は、携帯電話機２０を紛失等した場合において、その携帯電話機２０に記憶されているメモリデータを他者に悪用されないよう、紛失等した携帯電話機２０に記憶されているメモリデータ、消去又は暗号化する際の処理を説明するフローチャートである。なお、この処理は、ユーザがサービス装置６０を利用して行う。
【００６６】
携帯電話機２０を紛失等したユーザは、まずサービス装置６０に対して所定の操作を行う。この操作に応じて、サービス装置６０からバックアップサーバ１０に対して紛失等した携帯電話機２０のメモリデータを消去又は暗号化する旨の要求（以下、消去暗号化要求という）が送信される（Ｓ１５１１）。なお、消去暗号化要求には、ユーザによって入力された、紛失等した携帯電話機２０のユーザＩＤ（例えば電話番号）、認証情報（パスワード、デジタル証明書、サービス装置６０のＩＰアドレス等）、及び消去又は暗号化のいずれの処理を行うかを指定するオプション等が付帯する。
【００６７】
バックアップサーバ１０は、サービス装置６０から消去暗号化要求を受信すると（Ｓ１５１２）、これに付帯して送られてくる認証情報を認証する。この認証に失敗した場合（Ｓ１５１３：認証失敗）、バックアップサーバ１０は認証に失敗した旨をサービス装置６０に通知する（Ｓ１５１４）。一方、認証に成功した場合（Ｓ１５１３：認証成功）、バックアップサーバ１０は、消去暗号化要求に付帯して送られてくるユーザＩＤの保存データ１０００が記憶装置１５に記憶されているかどうかを確認する。このように、消去や暗号化は、バックアップサーバ１０が事前に記憶装置１５にメモリデータが記憶されているかどうかを確認してから行われるため、消去又は暗号化してしまった後においても必要に応じてメモリデータを復旧させることができる。
【００６８】
記憶装置１５に保存データ１０００が記憶されていることを確認した場合（Ｓ１５１５：有り）、バックアップサーバ１０は、消去暗号化要求を送信してきた携帯電話機２０に対してメモリデータを消去又は暗号化（いずれを行うかは上記オプションにより決まる）する旨の要求（以下、消去暗号化実行要求という）を送信する（Ｓ１５１６）。なお、消去暗号化実行要求には認証情報（例えば、サービス装置６０から送信されてきた認証情報）が付帯する。
【００６９】
携帯電話機２０は、サービス装置６０から送信されてくる消去暗号化実行要求を受信すると（Ｓ１５１７）、消去暗号化実行要求に付帯して送られてくる認証情報を認証する（Ｓ１５１８）。認証に成功した場合（Ｓ１５１８：認証成功）、携帯電話機２０は、メモリ４１２に記憶されているメモリデータを消去又は暗号化する（Ｓ１５１９）。なお、メモリデータを消去又は暗号化した後に、携帯電話機２０を入手した者が再びメモリデータをダウンロードしてメモリデータを復旧させるのを防ぐべく、携帯電話機２０がメモリデータの消去又は暗号化とともにダウンロードを禁止する処理を実行するようにしてもよい。
【００７０】
ところで、以上の実施形態の説明は、本発明の理解を容易にするためのものであり、本発明を限定するものではない。本発明はその趣旨を逸脱することなく、変更、改良され得ると共に本発明にはその等価物が含まれることは勿論である。
【００７１】
例えば、本発明はインターネットを通じて通信する機能を有するＰＤＡ（Personal Digital Assistance）等の携帯通信装置のメモリに記憶されているデータをバックアップする場合にも適用することができる。
【００７２】
また例えば、データ属性８１５が「公開情報」に設定されているメモリデータについては、ある携帯電話機２０から他の携帯電話機２０へのデータ転送（例えば、画像データの転送）を次の手順で行うようにすることができる。すなわち、メモリデータそのものを送信する代わりに、転送元の携帯電話機２０から転送先の携帯電話機２０に保存ＵＲＬ８１４に設定されているＵＲＬのみを通知し、転送先の携帯電話機２０は、記憶装置１５に記憶されているメモリデータにアクセスするようにする。このような仕組みとすれば、メモリデータを携帯電話機２０からバックアップサーバ１０に送信する必要が無くなる。
【００７３】
また携帯電話機２０とバックアップサーバ１０との間の通信や、サービス装置６０とバックアップサーバ１０との間の通信を、ＨＴＴＰＳ（Hypertext Transfer Protocol Security）等の暗号化通信プロトコルを用いて行うことで、メモリデータをより一層安全に管理することができる。
【図面の簡単な説明】
【００７４】
【図１】本発明の一実施形態として説明するデータ管理システム１の概略構成を示す図である。
【図２】本発明の一実施形態として説明するバックアップサーバ１０のハードウエア構成を示す図である。
【図３】本発明の一実施形態として説明するバックアップサーバ１０のソフトウエア構成を説明する図である。
【図４】本発明の一実施形態として説明する携帯電話機２０のハードウエア構成を示す図である。
【図５】本発明の一実施形態として説明する携帯電話機２０のソフトウエア構成を示す図である。
【図６】本発明の一実施形態として説明するサービス装置６０のハードウエア構成を示す図である。
【図７】本発明の一実施形態として説明するサービス装置６０のソフトウエア構成を示す図である。
【図８】本発明の一実施形態として説明するメモリデータ管理情報８００の構成を示す図である。
【図９Ａ】本発明の一実施形態として説明するバックアップデータ９００の構成を示す図である。
【図９Ｂ】本発明の一実施形態として説明するデータヘッダ９３１の構成を示す図である。
【図９Ｃ】本発明の一実施形態として説明するデータボディ９３２の構成を示す図である。
【図９Ｄ】本発明の一実施形態として説明するデータ情報９３２１の構成を示す図である。
【図１０】本発明の一実施形態として説明する保存データ１０００の構成を示す図である。
【図１１】本発明の一実施形態として説明するバックアップ処理のメッセージフローである。
【図１２】本発明の一実施形態として説明するバックアップ処理における携帯電話機２０の処理を説明するフローチャートである。
【図１３】本発明の一実施形態として説明するバックアップ処理におけるバックアップサーバ１０の処理を説明するフローチャートである。
【図１４】本発明の一実施形態として説明するメモリデータの復旧させるための処理を説明するフローチャートである。
【図１５】本発明の一実施形態として説明する携帯電話機２０のメモリデータを消去又は暗号化する処理を説明するフローチャートである。
【符号の説明】
【００７５】
１  データ管理システム
１０  バックアップサーバ
１５  記憶装置
２０  携帯電話機
３０  インターネット
４０  携帯電話網
５０  ゲートウェイ装置
６０  サービス装置
【図１】
2006287853.tif 000003
【図２】
2006287853.tif 000004
【図３】
2006287853.tif 000005
【図４】
2006287853.tif 000006
【図５】
2006287853.tif 000007
【図６】
2006287853.tif 000008
【図７】
2006287853.tif 000009
【図８】
2006287853.tif 000010
【図９Ａ】
2006287853.tif 000011
【図９Ｂ】
2006287853.tif 000012
【図９Ｃ】
2006287853.tif 000013
【図９Ｄ】
2006287853.tif 000014
【図１０】
2006287853.tif 000015
【図１１】
2006287853.tif 000016
【図１２】
2006287853.tif 000017
【図１３】
2006287853.tif 000018
【図１４】
2006287853.tif 000019
【図１５】
2006287853.tif 000020